(57)【要約】【課題】消費電力を低減できる車両用表示装置を提供する。【解決手段】車両状態に基づいて点消灯する複数の表示灯１００〜１０８、１１１〜１１８、１２１〜１２５と、点灯中の表示灯を順次選択状態とする選択信号を乗員の短押し操作に基づき出力するとともに、選択状態の表示灯を消灯又は減光させる指示信号を乗員の長押し操作に基づき出力する表示灯消灯スイッチ４４と、点灯中の表示灯を選択信号に基づき順次選択状態とするとともに、指示信号を入力したときに選択状態にある表示灯を消灯又は減光させるマイコン６０とを有するように構成する。【選択図】図１
2010078324.tif 000002
【特許請求の範囲】
【請求項１】
車両状態に基づいてそれぞれ点消灯する複数の表示灯と、
点灯中の表示灯を順次選択状態とする選択信号を乗員の操作に基づき出力する第１操作手段と、
選択状態の表示灯を消灯又は減光させる指示信号を乗員の操作に基づき出力する第２操作手段と、
点灯中の表示灯を前記選択信号に基づき順次選択状態とするとともに、前記指示信号を入力したときに選択状態にある表示灯を消灯又は減光させる制御手段とを有することを特徴とする車両用表示装置。
【請求項２】
前記制御手段は、選択状態の表示灯を点滅状態とすることを特徴とする請求項１に記載の車両用表示装置。
【請求項３】
前記第１操作手段及び前記第２操作手段は、共通の操作スイッチを有し、
前記操作スイッチは、所定の操作により前記選択信号を出力し、前記所定の操作とは異なる操作により前記指示信号を出力することを特徴とする請求項１又は２に記載の車両用表示装置。
【請求項４】
前記操作スイッチは、前記第１操作手段及び前記第２操作手段以外の別の用途にも用いられることを特徴とする請求項３に記載の車両用表示装置。
【請求項５】
前記制御手段は、消灯又は減光させた表示灯に対応する車両状態が変化した場合、当該表示灯を再点灯させることを特徴とする請求項１乃至４のいずれか１項に記載の車両用表示装置。
【請求項６】
前記制御手段は、車両が停止しているか否かを判断し、前記選択信号に基づく表示灯の選択と前記指示信号に基づく表示灯の消灯又は減光とを車両が停止している状態でのみ行うことを特徴とする請求項１乃至５のいずれか１項に記載の車両用表示装置。
【発明の詳細な説明】
【技術分野】
【０００１】
本発明は、車両状態に基づいて点灯／消灯する複数の表示灯を備えた車両用表示装置に関する。
【背景技術】
【０００２】
従来、車両状態に基づいてシンボルマークや文字等をそれぞれ点灯表示する複数の警告表示灯や状態表示灯（以下、単に「表示灯」という）を備えた車両用表示装置が知られている（例えば、特許文献１）。点灯した各表示灯を視認することによって、乗員は車両状態を認識できるようになっている。
【特許文献１】特開２００２−７９８４７号公報
【発明の開示】
【発明が解決しようとする課題】
【０００３】
しかしながら、上記の車両用表示装置では、点灯した表示灯により乗員が車両状態を認識した後においても、当該車両状態が変化しない限り表示灯の点灯状態が維持される。したがって、表示灯に対し電力が供給され続けるため、車両用表示装置の消費電力が増大してしまうという問題があった。
【０００４】
本発明の目的は、消費電力を低減できる車両用表示装置を提供することにある。
【課題を解決するための手段】
【０００５】
本発明は上記目的を達成するために、以下の技術的手段を採用する。
【０００６】
請求項１に記載の発明は、車両状態に基づいて点消灯する複数の表示灯と、点灯中の表示灯を順次選択状態とする選択信号を乗員の操作に基づき出力する第１操作手段と、選択状態の表示灯を消灯又は減光させる指示信号を乗員の操作に基づき出力する第２操作手段と、点灯中の表示灯を選択信号に基づき順次選択状態とするとともに、指示信号を入力したときに選択状態にある表示灯を消灯又は減光させる制御手段とを有することを特徴とする車両用表示装置である。
【０００７】
これにより、点灯した表示灯を視認して車両状態を認識した乗員は、第１操作手段及び第２操作手段を操作することによって当該表示灯を消灯又は減光させることができる。したがって、表示灯への電力供給が抑えられるため、車両用表示装置の消費電力を低減できる。
【０００８】
請求項２に記載の発明は、制御手段は、選択状態の表示灯を点滅状態とすることを特徴としている。
【０００９】
これにより、選択状態にある表示灯を容易に識別できるようになるため、乗員による表示灯の選択が容易になる。
【００１０】
請求項３に記載の発明は、第１操作手段及び前記第２操作手段は、共通の操作スイッチを有し、操作スイッチは、所定の操作により選択信号を出力し、当該所定の操作とは異なる操作により指示信号を出力することを特徴としている。
【００１１】
これにより、第１操作手段及び第２操作手段の操作スイッチを共通化できるため、操作スイッチの個数の増加を抑制することができる。
【００１２】
請求項４に記載の発明は、操作スイッチは、第１操作手段及び第２操作手段以外の別の用途にも用いられることを特徴としている。
【００１３】
これにより、第１操作手段及び第２操作手段として専用の操作スイッチを設ける必要がなくなるため、操作スイッチの個数を削減できる。
【００１４】
請求項５に記載の発明は、制御手段は、消灯又は減光させた表示灯に対応する車両状態が変化した場合、当該表示灯を再点灯させることを特徴としている。
【００１５】
これにより、車両状態の変化を乗員に認識させることができるため、乗員の認識する車両状態と実際の車両状態とが異なってしまうことを防止できる。
【００１６】
請求項６に記載の発明は、制御手段は車速情報又は車両の位置情報を取得し、車両が停止している状態でのみ選択信号及び指示信号に基づく動作を行うことを特徴としている。
【００１７】
これにより、車両が移動している状態では表示灯を消灯又は減光させることができないため、車両運転中の乗員が第１操作手段及び第２操作手段を操作してしまうことを防止でき、安全性を向上できる。
【発明を実施するための最良の形態】
【００１８】
（第１実施形態）
本発明の第１実施形態について図１乃至図３を用いて説明する。本実施形態の車両用表示装置は、車両の車室内前方に配置されたインストルメントパネルに、車両の各種情報を表示するコンビネーションメータとして設けられている。図１は、本実施形態における車両用表示装置１０の正面図である。図１に示すように、車両用表示装置１０の情報表示部は、大まかに中央部２０、左方部３０、右方部４０及び上方部５０の４領域に分割されている。
【００１９】
中央部２０にはスピードメータ２１が配置されている。スピードメータ２１は、文字盤と車速に応じて回動する指針とを備え、車速を表示する指針計器である。スピードメータ２１の下部には、累計走行距離を示すオドメータと、区間走行距離を示す２つのトリップメータとを切替え表示するデジタル式のオド／トリップメータ２２が配置されている。
【００２０】
左方部３０には、エンジン回転数を表示する指針計器からなるタコメータ３１が配置されている。右方部４０には、エンジン冷却水の水温を表示する水温計４１と、燃料タンク内の残存燃料量を表示する燃料計４２とが配置されている。
【００２１】
また右方部４０には、いずれも柱状ノブ形状を有し、乗員による押釦操作が可能なオド／トリップスイッチ４３及び表示灯消灯スイッチ（操作スイッチ）４４が配置されている。オド／トリップスイッチ４３は、オド／トリップメータ２２の表示切替えや、トリップメータのリセット指示を乗員の押釦操作により行うために設けられている。表示灯消灯スイッチ４４は、後述するように、点灯状態にある表示灯の消灯を乗員の押釦操作により行うために設けられている。オド／トリップスイッチ４３及び表示灯消灯スイッチ４４は、押釦されるとオン状態となって接点信号を出力し、押釦が終了するとオフ状態となって接点信号の出力を停止するようになっている。表示灯消灯スイッチ４４は、オン状態の継続時間の長短によって長押し操作と短押し操作とができるようになっている。これにより表示灯消灯スイッチ４４は、互いに異なる操作信号を出力する２種類の操作手段として機能する。
【００２２】
左方部３０、右方部４０及び上方部５０には、車両状態に基づいてそれぞれ点消灯する複数の表示灯１００〜１０８、１１１〜１１８、１２１〜１２５が配置されている。各表示灯は、可視光に対して透明な透明樹脂板と、透明樹脂板の背後に配置された光源部とを有している。透明樹脂板には、所定のシンボルマーク又は文字形状で開口された遮光印刷が施されている。光源部は、電圧印加により白色光を発する発光ダイオード（ＬＥＤ）と、特定色の波長光を透過させるカラーフィルタ部材とにより構成されているか、又は特定色の光を発するＬＥＤにより構成されている。これにより各表示灯は、所定の点灯色で所定のシンボルマーク形状又は文字形状に点灯するようになっている。
【００２３】
以下、各表示灯の点灯する状況及び点灯色の例について説明する。表示灯１００は、アンチロック・ブレーキ・システム（ＡＢＳ）警告灯であり、ＡＢＳ関係に異常が発生したときに黄色で点灯する。表示灯１０１は運転席シートベルト非着用警告灯であり、運転席のシートベルトを着用していない場合に赤色で点灯する。表示灯１０２は雪道モード状態表示灯であり、電子制御式自動変速機（ＥＣＴ（登録商標））が雪道（ＳＮＯＷ）モードに選択されたときに黄色で点灯する。表示灯１０３は、チェックエンジン警告灯であり、エンジン制御システム関係に異常が発生したときに黄色で点灯する。表示灯１０４は、半ドア警告灯であり、いずれかのドアが開いている状態又は半ドアの状態のときに赤色で点灯する。表示灯１０５は補助拘束システム（ＳＲＳ）エアバッグ警告灯であり、ＳＲＳエアバッグ関係に異常が発生したときに赤色で点灯する。表示灯１０６はパーキングブレーキ作動／ブレーキ液レベル警告灯であり、パーキングブレーキ作動中又はブレーキ液が少ないときに赤色で点灯する。表示灯１０７はチャージ警告灯であり、オルタネータの端子電圧に異常が発生したときに赤色で点灯する。表示灯１０８は油圧警告灯であり、油圧が極端に低下したときに赤色で点灯する。
【００２４】
表示灯１１１〜１１７は、シフトポジション表示灯であり、選択中のシフトポジション（Ｐ、Ｒ、Ｎ、Ｄ、３、２、Ｌの各レンジ）に合わせて緑色又は黄色で択一的に点灯する。表示灯１１８は燃料残量警告灯であり、燃料残量が少ないときに黄色で点灯する。
【００２５】
表示灯１２１はハイビーム作動状態表示灯であり、ハイビームヘッドランプの点灯スイッチがオン状態のときに青色で点灯する。表示灯１２２はフロントフォグランプ作動表示灯であり、フロントフォグランプの点灯スイッチがオン状態のときに緑色で点灯する。表示灯１２３はヘッドランプレベリング警告灯であり、ヘッドランプレベリング機能に異常が発生したときに黄色で点灯する。表示灯１２４、１２５はターンシグナル作動状態表示灯であり、ターンシグナル作動時に緑色で点灯し、ターンシグナルランプと同期して点滅するようになっている。
【００２６】
ここで本実施形態では、法令に基づき乗員操作による消灯が禁止されている表示灯や、乗員判断により消灯することで安全性低下のおそれがある表示灯は、消灯対象から除かれるものとしている。消灯対象から除かれる表示灯としては、例えば、運転席のシートベルトの非着用を示す表示灯１０１、パーキングブレーキの作動又はブレーキ液の減少を示す表示灯１０６、ターンシグナルの作動状態を示す表示灯１２４、１２５等がある。
【００２７】
次に、車両用表示装置１０の概略の回路構成について説明する。図２は、車両用表示装置１０の回路構成を示すブロック図である。図２に示すように、車両用表示装置１０は、ＣＰＵ、ＲＯＭ、ＲＡＭを備えたマイコン（制御手段）６０を有している。マイコン６０には、不図示の入力回路を介して各種センサ類から各種の車両情報が入力されるようになっている。またマイコン６０には、ＣＡＮ等の通信ネットワークを介した他のＥＣＵとの通信によっても各種の車両情報が入力されるようになっている。マイコン６０は、入力した車両情報に基づいて、複数の表示灯１００〜１０８、１１１〜１１８、１２１〜１２５の点消灯を制御する。またマイコン６０は、オド／トリップスイッチ４３からの入力信号に基づき、オド／トリップメータ２２の表示切替え制御を行う。
【００２８】
さらにマイコン６０には、乗員の押釦操作により表示灯消灯スイッチ４４から出力される操作信号が入力されるようになっている。マイコン６０は、表示灯消灯スイッチ４４がオフ状態からオン状態に遷移した後、オン状態が所定の閾値時間以上継続されたときには長押し信号（指示信号）と判断し、表示灯消灯スイッチ４４がオフ状態からオン状態に遷移した後、閾値時間未満で再びオフ状態に遷移したときには短押し信号（選択信号）と判断する。
【００２９】
また車両用表示装置１０は、車両情報に基づくマイコン６０の制御により複数の表示灯１００〜１０８、１１１〜１１８、１２１〜１２５を個別に駆動する表示灯駆動回路６１を有している。
【００３０】
次に、車両用表示装置１０の作動について説明する。図３は、車両用表示装置１０の作動の一例を示すフローチャートである。本実施形態では、ＡＢＳ関係の異常を示す表示灯１００、運転席のシートベルトが非着用であることを示す表示灯１０１、雪道モード状態であることを示す表示灯１０２、いずれかのドアが開いている状態又は半ドアの状態を示す表示灯１０４、及びシフトポジションがＤレンジであることを示す表示灯１１４が点灯している状態にあるものとする。図３に示すように、これらの５つの表示灯１００、１０１、１０２、１０４、１１４を点灯させている状態において（ステップＳ１）、マイコン６０は、表示灯消灯スイッチ４４がオン状態になるのを検出すると（ステップＳ２）、消灯可能な表示灯を全て選択状態とする（ステップＳ３）。本例において消灯可能な表示灯は、点灯している５つの表示灯１００、１０１、１０２、１０４、１１４のうち、消灯対象から除かれている表示灯１０１を除いた４つの表示灯１００、１０２、１０４、１１４である。マイコン６０は、選択状態とした表示灯１００、１０２、１０４、１１４を点滅させる。すなわちこの状態では、表示灯１０１のみが点灯状態にあり、表示灯１００、１０２、１０４、１１４が点滅状態にあり、これら以外の表示灯は消灯状態にある。
【００３１】
次に、マイコン６０は、表示灯消灯スイッチ４４が再びオン状態となり、オン状態が所定の閾値時間以上継続されると、長押し操作が行われたと判断する（ステップＳ４）。長押し操作が行われると、マイコン６０は、選択状態にある４つの表示灯１００、１０２、１０４、１１４を全て消灯させる（ステップＳ１０）。
【００３２】
一方、マイコン６０は、表示灯消灯スイッチ４４が閾値時間未満でオン状態からオフ状態に遷移すると、短押し操作が行われたと判断する（ステップＳ５）。短押し操作が行われると、マイコン６０は、個別の表示灯選択状態に入り、例えば表示灯１００のみをそのまま点滅させ、表示灯１０２、１０４、１１４を点灯状態に戻す（ステップＳ６）。すなわちこの状態では、表示灯１０１、１０２、１０４、１１４が点灯状態にあり、表示灯１００のみが点滅状態にあり、これら以外の表示灯は消灯状態にある。
【００３３】
次に、マイコン６０は、表示灯消灯スイッチ４４が再びオン状態となり、オン状態が所定の閾値時間以上継続されると、長押し操作が行われたと判断する（ステップＳ７）。長押し操作が行われると、マイコン６０は、選択状態にある表示灯１００を消灯させる（ステップＳ１０）。
【００３４】
一方、マイコン６０は、表示灯消灯スイッチ４４が閾値時間未満でオン状態からオフ状態に遷移すると、短押し操作が行われたと判断する（ステップＳ８）。短押し操作が行われると、マイコン６０は、次の表示灯選択状態に入り、例えば表示灯１０２のみを点滅させ、表示灯１００を点灯状態に戻す（ステップＳ９）。すなわちこの状態では、表示灯１００、１０１、１０４、１１４が点灯状態にあり、表示灯１０２のみが点滅状態にあり、これら以外の表示灯は消灯状態にある。
【００３５】
その後も同様に、マイコン６０は、表示灯消灯スイッチ４４の短押し操作が行われる度に表示灯１０４、１１４を順次選択状態とし、表示灯のいずれかが選択された状態で表示灯消灯スイッチ４４の長押し操作が行われると、その時点で選択状態にある表示灯を消灯させる。
【００３６】
乗員の操作により表示灯を消灯させた後、当該表示灯に対応する車両状態が変化した場合には、当該表示灯を再点灯させるようにしてもよい。例えば、油圧低下を示す表示灯１０８を消灯させた後に、油圧がさらに低下した場合には、表示灯１０８を再点灯させる。また、シフトポジションがＤレンジであることを示す表示灯１１４を消灯させた後に、シフトポジションがＤレンジからＲレンジに変更された場合には、当然に、表示灯１１４の消灯状態を維持しつつ表示灯１１２を点灯させる。
【００３７】
以上説明したように、本実施形態では、点灯状態にある表示灯を乗員の操作により消灯させることができる。これにより、点灯した表示灯を視認して車両の状態を認識した乗員は、継続して点灯させる必要がないと判断した場合、その表示灯を消灯することができる。したがって、表示灯への電力供給が抑えられるため、車両用表示装置１０の消費電力を低減できる。
【００３８】
また本実施形態では、選択状態の表示灯が点滅状態となるため、乗員は、選択状態の表示灯とそれ以外の表示灯とを容易に識別できる。したがって、継続して点灯させる必要がないと乗員が判断した表示灯を確実に消灯できる。
【００３９】
さらに本実施形態では、ステップＳ３において、表示灯を個別に点滅させる前に、消灯可能な表示灯を全て点滅させているため、どの表示灯が消灯可能なのかを乗員に認識させることができる。
【００４０】
また本実施形態では、表示灯消灯スイッチ４４が長押し操作及び短押し操作によって２種類の信号を出力できるようになっている。これにより、表示灯消灯スイッチ４４は、単純な構造で２種類の操作手段として機能する。したがって、車両用表示装置１０における操作スイッチの個数の増加や部品コストの増加を抑制することができる。
【００４１】
さらに本実施形態では、消灯させた表示灯に対応する車両状態が変化した場合、当該表示灯が再点灯するようになっている。したがって、車両状態の変化を乗員に認識させることができるため、乗員の認識する車両状態と実際の車両状態とが異なってしまうことを防止できる。
【００４２】
（第２実施形態）
次に、本発明の第２実施形態について図４及び図５を用いて説明する。本実施形態は、第１実施形態と比較すると、表示灯消灯スイッチ４４が廃止され、表示灯を消灯させるための操作スイッチとしてオド／トリップスイッチ４３が用いられる点に特徴を有している。本実施形態のオド／トリップスイッチ４３は、オド／トリップメータ２２の表示切替えや、トリップメータのリセット指示等の本来の機能に加えて、表示灯を消灯させる機能も有している。
【００４３】
マイコン６０は、オド／トリップスイッチ４３から所定時間内にオン信号（短押し信号）を３回入力すると、通常モードと表示灯消灯モードとを切り替えるようになっている。通常モードにおいては、マイコン６０は、オド／トリップスイッチ４３からの入力信号によってオド／トリップメータ２２の表示切替えを行う。一方、表示灯消灯モードにおいては、マイコン６０は、オド／トリップスイッチ４３からの入力信号によって表示灯の選択及び消灯を行う。
【００４４】
図４は、本実施形態において、点灯状態にある表示灯のうち消灯可能な表示灯を全て消灯させる際の作動を示す概略のタイミングチャートである。図４の上段は表示灯１００、１０２、１０４、１１４の点消灯状態（点灯／点滅／消灯）を表し、中段はオド／トリップスイッチ４３の動作（ＯＮ／ＯＦＦ）を表し、下段はオド／トリップメータ２２の表示内容を表している。また図４の横方向は時間を表している。
【００４５】
図４に示すように、初期状態では表示灯１００、１０２、１０４、１１４が点灯しており、オド／トリップメータ２２はオドメータを表示している。この状態において、オド／トリップスイッチ４３からの１回目のオン信号がマイコン６０に入力されると、マイコン６０は、オド／トリップメータ２２の表示をオドメータから第１のトリップメータＡに切り替える。
【００４６】
次に、オド／トリップスイッチ４３からの２回目のオン信号がマイコン６０に入力されると、マイコン６０は、オド／トリップメータ２２の表示を第１のトリップメータＡから第２のトリップメータＢに切り替える。
【００４７】
オド／トリップスイッチ４３からの３回目のオン信号がマイコン６０に入力されると、マイコン６０は、オド／トリップメータ２２の表示を第２のトリップメータＢからオドメータに戻す。またマイコン６０は、所定時間以内に３回のオン信号が入力されたと判断すると、自身の動作モードを通常モードから表示灯消灯モードに切り替え、点灯状態にある表示灯のうち消灯可能な全ての表示灯１００、１０２、１０４、１１４を点滅させる。
【００４８】
この状態でオド／トリップスイッチ４３からの長押し信号がマイコン６０に入力されると、マイコン６０は、選択状態にある表示灯１００、１０２、１０４、１１４を全て消灯させる。その後マイコン６０は、自身の動作モードを表示灯消灯モードから通常モードに戻す。
【００４９】
以上の手順により、点灯状態にある表示灯のうち消灯可能な表示灯１００、１０２、１０４、１１４が全て消灯される。
【００５０】
図５は、本実施形態において、表示灯１０２のみを消灯させる際の動作を示す概略のタイミングチャートである。消灯可能な全ての表示灯１００、１０２、１０４、１１４を点滅させるまでの手順は図４と同様である。図５に示すように、消灯可能な全ての表示灯１００、１０２、１０４、１１４が点滅している状態において、オド／トリップスイッチ４３からの短押し信号がマイコン６０に入力されると、マイコン６０は、個別の表示灯選択状態に入り、表示灯１００のみを点滅させる。
【００５１】
次に、表示灯１００のみが点滅している状態において、オド／トリップスイッチ４３からの短押し信号がマイコン６０に再度入力されると、マイコン６０は次の表示灯選択状態に入り、表示灯１０２のみを点滅させる。
【００５２】
この状態において、オド／トリップスイッチ４３からの長押し信号がマイコン６０に入力されると、マイコン６０は、選択状態にある表示灯１０２を消灯させる。その後マイコン６０は、自身の動作モードを表示灯消灯モードから通常モードに戻す。
【００５３】
以上の手順により、点灯状態にある表示灯のうち表示灯１０２のみが消灯される。
【００５４】
本実施形態によれば、第１実施形態と同様の効果が得られることに加え、表示灯消灯のための専用の操作スイッチを新たに設ける必要がなくなるため、操作スイッチの個数を削減できる。したがって、車両用表示装置１０を小型化できるとともに部品点数を削減できる。
【００５５】
（その他の実施形態）
上記実施形態において、表示灯を消灯させるためのスイッチ操作は比較的複雑になる場合があるため、同乗者でなく運転中の運転者が操作してしまうと車両の安全性が低下するおそれがある。このため、マイコン６０が車速情報又は車両の位置情報を取得し、車両が停止していると判断したときのみ表示灯の選択及び消灯を行うようにしてもよい。これにより、車両が移動している状態では表示灯を消灯させることができないため、車両の安全性を向上できる。
【００５６】
また上記実施形態では、点灯状態にある表示灯を乗員の操作により消灯できるようにしているが、完全に消灯させるのではなく、表示灯を減光させて輝度を低下させるようにしてもよい。表示灯を減光させることによっても表示灯への電力供給が抑えられるため、上記実施形態と同様に車両用表示装置の消費電力を低減できる。また、表示灯を消灯させるか減光させるかを乗員が選択できるようにしてもよい。
【００５７】
さらに上記実施形態では、表示灯消灯スイッチ４４が車両用表示装置１０の情報表示部内に設けられているが、表示灯消灯スイッチ４４は、情報表示部内以外のインストルメントパネルやステアリングホイール等に設けられていてもよい。
【００５８】
また上記実施形態では、乗員の操作により消灯した表示灯は、当該表示灯に対応する車両状態が変化するまで消灯状態を維持するようになっているが、車両状態に変化がない場合であっても消灯から所定時間経過したら再点灯するようにしてもよい。
【００５９】
さらに上記第１実施形態では、表示灯消灯スイッチ４４が第１操作手段及び第２操作手段の双方の機能を有しているが、第１操作手段として機能する操作スイッチと第２操作手段として機能する操作スイッチとを独立して設けてもよい。
【００６０】
また上記第２実施形態では、表示灯を消灯させるための操作スイッチとしてオド／トリップスイッチ４３を用いているが、他のスイッチを用いてもよい。
【００６１】
さらに上記実施形態では、消灯可能な全ての表示灯がまず選択状態となり、その後に選択信号が入力される度に個別の表示灯が順次選択状態となっているが、先に個別の表示灯を順次選択状態とし、最後に全ての表示灯を選択状態としてもよい。
【図面の簡単な説明】
【００６２】
【図１】第１実施形態における車両用表示装置の正面図である。
【図２】第１実施形態における車両用表示装置の回路構成を示すブロック図である。
【図３】第１実施形態における車両用表示装置の作動の一例を示すフローチャートである。
【図４】第２実施形態における車両用表示装置の作動を示す概略のタイミングチャートである。
【図５】第２実施形態における車両用表示装置の作動を示す概略のタイミングチャートである。
【符号の説明】
【００６３】
１０  車両用表示装置
４３  オド／トリップスイッチ
４４  表示灯消灯スイッチ（第１操作手段、第２操作手段）
６０  マイコン（制御手段）
６１  表示灯駆動回路
１００〜１０８、１１１〜１１８、１２１〜１２５  表示灯
【図１】
2010078324.tif 000003
【図２】
2010078324.tif 000004
【図３】
2010078324.tif 000005
【図４】
2010078324.tif 000006
【図５】
2010078324.tif 000007